(57)【要約】      （修正有）【課題】別個に枕を用意する必要がない横臥に便利なタオルを提供する。【解決手段】タオル地の布を主体として形成され、使用者が横たわる際に敷いて使用される横臥用タオルである。使用者の頭部に該当する部分には枕収容部２０が形成され、枕収容部に枕３０が入出可能に収容されている。枕収容部の左右の一方に少なくともほぼ閉じた空間状の音声装置収容部４０が設けられ、音声装置収容部形成用布片にはコード挿通孔が形成され、枕収容部の左右の他方には少なくともほぼ閉じた空間状の小物収容部５０が設けられているのが好ましい。【選択図】図６
0003209458.tif 000002
【実用新案登録請求の範囲】
【請求項１】
タオル地の布を主体として形成され、使用者が横たわる際に敷いて使用される横臥用タオルであって、
使用者の頭部に該当する部分には枕収容部が形成され、当該枕収容部に枕が入出可能に収容されている、
横臥用タオル。
【請求項２】
請求項１に記載の横臥用タオルであって、
前記枕収容部の近傍に少なくともほぼ閉じた空間状の音声装置収容部が設けられ、
その音声装置収容部の内部と外部とを連通して、当該音声装置収容部に収容される音声装置に使用されるイヤホン又はイヤホンマイク等の付属装置のコードが挿通されるコード挿通孔が形成されている、
横臥用タオル。
【請求項３】
請求項２に記載の横臥用タオルであって、
前記音声装置を形成する部材の一部が非透水性を有し透視可能であるとともに、当該音声装置収容部の内部に収容された音声装置の操作が当該音声装置収容部の外部から可能な材質である、
横臥用タオル。
【請求項４】
請求項２又は請求項３に記載の横臥用タオルであって、
前記音声装置収容部を開閉可能に被覆するカバー部が設けられている、
横臥用タオル。
【請求項５】
請求項４に記載の横臥用タオルであって、
タオル本体の上端部の側の部分が裏側に折り返されて形成された折り返し部が前記タオル本体のうちの折り返し部以外の部分である主要部と重ねられ、前記主要部と前記折り返し部との間に挟装された被挟装面状材と前記折り返し部とによって前記音声装置収容部が形成され、
前記主要部のうちの前記音声装置収容部に対応する部分が前記カバー部である、
横臥用タオル。
【請求項６】
請求項１〜請求項５のいずれかに記載の横臥用タオルであって、
前記枕収容部の近傍に少なくともほぼ閉じた空間状の小物収容部が設けられている、
横臥用タオル。
【考案の詳細な説明】
【技術分野】
【０００１】
本考案は、使用者が横たわる（横臥する）ことを主たる用途とするタオルに関するものである。
【背景技術】
【０００２】
夏のリゾート等においては、浜辺やビーチチェア等の上にタオル（ビーチタオル）が敷かれ、その上に使用者が横臥することが一般的に行われている。
その際、従来において、ビーチタオルとしては、人間の身体の大きさに対応した大きさを有する１枚状のタオル地によって形成されたものが一般的である。
【０００３】
ところで、横臥する際には枕が使用されることが多い。頭部をそれ以外の部位よりも高い位置に維持するためである。
このため、従来の１枚状のタオル地によって形成されたタオルを使用する場合には、別個に枕が必要となり、不便である。
【０００４】
なお、本考案に関連する先行技術として、特許文献１に記載されているものがある。
【先行技術文献】
【特許文献】
【０００５】
【特許文献１】特開平１０−３２３２９８号公報
【考案の概要】
【考案が解決しようとする課題】
【０００６】
本考案は、横臥する際に便利なタオルを提供することを課題とする。
【課題を解決するための手段】
【０００７】
この課題を解決するために、請求項１に係る考案は、タオル地の布を主体として形成され、使用者が横たわる際に敷いて使用される横臥用タオルであって、使用者の頭部に該当する部分には枕収容部が形成され、当該枕収容部に枕が入出可能に収容されている、横臥用タオルである。
【０００８】
「横臥」とは「横たわる」という意味であり、「側臥」のみを意味するのではなく、背側（仰向け）」等も含むものである。
【０００９】
この考案の横臥用タオルは、主として、敷かれた状態で、その上に人間（使用者）が横臥することのために使用される。
そして、この考案の横臥用タオルでは、使用者の頭部に該当する部分に形成された枕収容部に枕が収容されている（枕が内蔵されている）ため、使用者は、枕を別個に用意することなく、自身の頭部を他の部分よりも高い位置に維持することができる。また、枕は枕収容部に収容されているため、枕の位置がずれることも防止される。
また、枕は枕収容部に対して入出可能に収容されているため、不必要の場合は枕を枕収容部から取り出して使用したり、枕を交換することも可能である。
【００１０】
請求項２に係る考案は、請求項１に係る考案の横臥用タオルであって、前記枕収容部の近傍に少なくともほぼ閉じた空間状の音声装置収容部が設けられ、その音声装置収容部の内部と外部とを連通して、当該音声装置収容部に収容される音声装置に使用されるイヤホン又はイヤホンマイク等の付属装置のコードが挿通されるコード挿通孔が形成されている、横臥用タオルである。
【００１１】
なお、「音声装置」とは、スマートフォンや、ポータブルオーディオプレーヤー等、音声の入出力又は出力がされる装置のことをいうこととする。
【００１２】
この考案の横臥用タオルでは、請求項１に係る考案の横臥用タオルの作用効果に加えて、次の作用効果が得られる。
すなわち、この横臥用タオルでは、枕収容部の近傍に音声装置収容部が設けられているため、その音声装置収容部に音声装置が収容されることによって、使用者は、横臥等しつつ、音楽や電話による会話を楽しむことが可能である。
また、音声装置収容部は少なくともほぼ閉じた空間状をしているために、水や砂等が侵入することが防止される。
それとともに、この横臥用タオルでは、音声装置収容部の内部と外部とを連通するコード挿通孔が形成されているため、音声装置収容部に収容される音声装置に使用されるイヤホン又はイヤホンマイク等の付属装置のコードがそのコード挿通孔を挿通されることによって、その付属装置が音声装置収容部の外部に位置づけられる。このため、使用者は、音声装置を音声装置収容部に収容したままの状態で、容易にその付属装置を使用することが可能である。
【００１３】
請求項３に係る考案は、請求項２に係る考案の横臥用タオルであって、前記音声装置を形成する部材の一部が非透水性を有し透視可能であるとともに、当該音声装置収容部の内部に収容された音声装置の操作が当該音声装置収容部の外部から可能な材質である、横臥用タオルである。
【００１４】
この考案の横臥用タオルでは、請求項２に係る考案の横臥用タオルの作用効果に加えて、次の作用効果が得られる。
すなわち、この横臥用タオルでは、音声装置を形成する部材の一部が非透水性を有し透視可能であるとともに、音声装置収容部の内部に収容された音声装置の操作が音声装置収容部の外部から可能な材質であるため、使用者は、その音声装置を音声装置収容部の外部から視認しつつ操作することが可能である。
このため、使用者の手に水や砂等が付着していても、その水や砂等が音声装置収容部の内部に侵入することが防止され、音声装置が損傷することが防止される。
【００１５】
請求項４に係る考案は、請求項２又は請求項３に係る考案の横臥用タオルであって、前記音声装置収容部を開閉可能に被覆するカバー部が設けられている、横臥用タオルである。
【００１６】
この考案の横臥用タオルでは、請求項２又は請求項３に係る考案の横臥用タオルの作用効果に加えて、次の作用効果が得られる。
音声装置収容部は少なくともほぼ閉じた空間状をしているとともに、その音声装置収容部がカバー部によって開閉可能に被覆されるため、音声装置収容部に水や砂等が侵入することがより有効に防止される。
【００１７】
請求項５に係る考案は、請求項４に係る考案の横臥用タオルであって、タオル本体の上端部の側の部分が裏側に折り返されて形成された折り返し部が前記タオル本体のうちの折り返し部以外の部分である主要部と重ねられ、前記主要部と前記折り返し部との間に挟装された被挟装面状材と前記折り返し部とによって前記音声装置収容部が形成され、前記主要部のうちの前記音声装置収容部に対応する部分が前記カバー部である、横臥用タオルである。
【００１８】
この考案の横臥用タオルでは、請求項４に係る考案の横臥用タオルの作用効果に加えて、次の作用効果が得られる。
タオル本体の一部がカバー部に該当するため、タオル本体とは異なるカバー部が別個設けられる態様とは異なり、横臥用タオルのおもて側がタオル本体によってのみ形成されることが可能であり、煩雑な外観を呈することが防止される。
なお、「被挟装面状材」とは、面状をなし挟装される部材のことを意味する。
【００１９】
請求項６に係る考案は、請求項１〜請求項５のいずれかに係る考案の横臥用タオルであって、前記枕収容部の近傍に少なくともほぼ閉じた空間状の小物収容部が設けられている、横臥用タオルである。
【００２０】
この考案の横臥用タオルでは、請求項１〜請求項４のいずれかに係る考案の横臥用タオルの作用効果に加えて、次の作用効果が得られる。
すなわち、この横臥用タオルでは、枕収容部の近傍に小物収容部が設けられているため、使用者は、この横臥用タオルを使用して横たわる際に使用する小物を小物収容部に収容することによって、バッグ等を別個に用意することなく、当該小物を容易に身近に位置づけることが可能である。
【図面の簡単な説明】
【００２１】
【図１】本考案の一実施例の横臥用タオルを示す斜視図（斜めおもて側から見た図）である。
【図２】本考案の一実施例の横臥用タオルを示す斜視図（斜め裏側から見た図）である。
【図３】本考案の一実施例の横臥用タオルを展開して示す分解斜視図である。
【図４Ａ】本考案の一実施例の横臥用タオルの一部（左上部分（向かって右上部分））を示す拡大斜視図である。カバー部を閉じた状態である。
【図４Ｂ】本考案の一実施例の横臥用タオルの一部（左上部分（向かって右上部分））を示す拡大斜視図である。カバー部を開いた状態である。
【図５】本考案の一実施例の横臥用タオルの他の一部（右上部分（向かって左上部分））を示す拡大斜視図である。
【図６】本考案の一実施例の横臥用タオルの使用状態を示す斜視図である。
【考案を実施するための形態】
【００２２】
次に、本考案の一実施例について、図面に基づいて説明する。
図１及び図６等に示すように、この横臥用タオルは、タオル本体１０を主体として形成されており、縦長の長方形状をしており、人間（使用者）の身体の大きさに対応した大きさをしている。
【００２３】
この横臥用タオルの上端部の近傍（使用者の頭部に対応する部分）には枕収容部２０が形成され、枕収容部２０には枕３０が収容されている。枕収容部２０の左右の一方（例えば左側（向かって右側））には音声装置収容部４０が形成され、他方（例えば右側（向かって左側））には小物収容部５０が形成されている。
【００２４】
図３に示すように、タオル本体１０はタオル地の布によって形成され、縦長の長方形状をしている。タオル本体１０の上端部の側の部分は裏側に折り返されて、折り返し部１４が形成されている。なお、タオル本体１０のうち折り返し部１４以外の部分のことを主要部１２ということとする。
【００２５】
枕収容部２０（図１等）は、次のように形成されている。
図３に基づいて上述したように、タオル本体１０の上端部の側の部分は裏側に折り返されている。そして、図１，図２，図４Ａ〜図５に示すように、折り返し部１４の先縁部のうちの大半部分（音声装置収容部４０に対応する部分以外）は、縫い付け部１６によって、タオル本体１０のうちの主要部１２に対して結合されている。なお、正確にいうと、折り返し部１４のうちの先縁部はさらに折り返されており、いわゆる袋縫いがされている。
また、折り返し部１４の左右の縁部寄りの部分は、この横臥用タオル（タオル本体１０）の長さ方向に延びる縫い付け部１８ａ，１８ｂによって、主要部１２に対して結合されている。
【００２６】
こうして、縫い付け部１６，縫い付け部１８ａ，１８ｂによって、枕収容部２０が形成されている。すなわち、枕収容部２０は、タオル本体１０の主要部１２及び折り返し部１４によって形成されているとともに、縫い付け部１６，縫い付け部１８ａ，１８ｂによって閉じた空間状に形成されている。
【００２７】
図２に示すように、枕収容部２０の裏側（折り返し部１４）には、切れ目（符号省略）が形成されるとともに、切れ目にはファスナ２２が設けられている。ファスナ２２が開閉操作されることによって、枕収容部２０が開閉される。
こうして、枕収容部２０の内部に枕３０が入出可能に収容され、この横臥用タオルに枕３０が内蔵されている。
【００２８】
図１，図３〜図４Ｂに示すように、音声装置収容部４０は、次のように、枕収容部２０の左側（向かって右側）に形成されている。
図３に基づいて前述したように、タオル本体１０の上端部の側の部分は裏側に折り返されており、図１及び図２等に基づいて前述したように、折り返し部１４の先縁部のうちの大半部分は縫い付け部１６によってタオル本体１０のうちの主要部１２に対して結合されている。
その際、図３に示すように、この横臥用タオルのうちの左側（向かって右側）の部分においては、タオル本体１０の折り返し部１４と主要部１２との間に、音声装置収容部形成用布片４１が挟装されている。この音声装置収容部形成用布片４１（以下、単に「布片４１」ともいう）が、本考案の「被挟装面状材」に該当する。
【００２９】
布片４１は縦長の長方形状をなし、次のようにタオル本体１０に対して取り付けられている。
図４Ａ及び図４Ｂに示すように、布片４１のうちの内側（枕収容部２０の側）の縁部においては、前述した縫い付け部１８ａによって、タオル本体１０の主要部１２，布片４１，タオル本体１０の折り返し部１４の３枚が同時に相互に対して結合されている。
【００３０】
布片４１のうちの外側（枕収容部２０とは反対側）の縁部においては、そのうちの上部及びその近傍においてのみ、縫い付け部１９によって、タオル本体１０の主要部１２，布片４１，タオル本体１０の折り返し部１４の３枚が同時に相互に対して結合されている。
同じく、そのうちの下部及びその近傍においては、布片４１及びタオル本体１０が、ファスナ４２を介して結合されている。
同じく、それ以外の中央部においては、縫い付け部４８によって、布片４１，タオル本体１０の折り返し部１４の２枚が相互に対して結合されている。
【００３１】
布片４１のうちの下側（足元の側）の縁部においては、縫い付け部４９によって、布片４１，タオル本体１０の折り返し部１４の２枚が相互に対して結合されている。正確にいうと、この部分も、いわゆる袋縫いがされている。、
【００３２】
こうして、音声装置収容部４０は、布片４１及び折り返し部１４によって形成されている。音声装置収容部４０は閉じた空間状に形成されているとともに、ファスナ４２によって開閉可能に形成されている。
音声装置収容部４０には、スマートフォンや、ポータブルオーディオプレーヤー等、音声の入手力又は出力がされる音声装置Ｐが収容される。
【００３３】
また、タオル本体１０の主要部１２のうちの布片４１に対応する部分は、布片４１を覆う状態（閉状態）（図４Ａ）と、布片４１の大半を覆わない状態（開状態）（図４Ｂ）との間を変位（開閉）可能である。
このため、タオル本体１０の主要部１２のうちの布片４１（音声装置収容部４０）に対応する部分のことをカバー部１５ということとする。
【００３４】
布片４１は、その全体がタオル本体１０と同様にタオル地の布によって形成されているとともに、その一部に窓部（符号省略）が形成され、窓部には透視操作部４５が設けられている。
透視操作部４５は、非透水性を有し、透明で（透視性を有し）、可撓性を有する合成樹脂のシートによって形成されている。
このため、音声装置収容部４０に収容されたスマートフォン等の音声装置Ｐに対して、音声装置収容部４０の外部から、透視操作部４５を通して、視認及び操作可能である。
【００３５】
布片４１のうちの透視操作部４５の近傍には、コード挿通孔４６が形成されている。このため、音声装置収容部４０に収容されたスマートフォン等の音声装置Ｐに接続されるイヤホン，イヤホンマイク等のコードＣが挿通される。
【００３６】
図１，図５に示すように、小物収容部５０は、次のように、枕収容部２０の右側（向かって左側）に形成されている。
図３に基づいて前述したように、タオル本体１０の上端部の側の部分は裏側に折り返されており、図１，図２，図５等に基づいて前述したように、折り返し部１４の先縁部の大半部分は縫い付け部１６によってタオル本体１０のうちの主要部１２に対して結合されている。
また、図５等に基づいて前述したように、折り返し部１４の左右の縁部寄りの部分はタオル縫い付け部１８ａ，１８ｂによって主要部１２に対して結合されている。
そして、図５等に示すように、折り返し部１４のうちの右縁部（向かって左縁部）は、タオル本体１０の主要部１２の右縁部（向かって左縁部）に対して、ファスナ５２を介して結合されている。
こうして、小物収容部５０は、タオル本体１０の主要部１２及び折り返し部１４によって形成されている。小物収容部５０は閉じた空間状に形成されているとともに、ファスナ５２によって開閉可能に形成されている。
【００３７】
次に、この横臥用タオルの使用方法及び作用効果について説明する。
図６に示すように、この横臥用タオルは浜辺やビーチチェア等の上に敷かれ、使用者は、その横臥用タオルの上に横たわる。
その際、図１等に基づいて前述したように、この横臥用タオルには枕３０が内蔵されているため、使用者は、枕３０を別個に用意することなく、使用者は自身の頭部を他の部分よりも高い位置に維持することができる。また、枕３０は枕収容部２０に収容されているため、枕３０の位置がずれることも防止される。
また、図２に基づいて前述したように、この枕３０は枕収容部２０に対して入出可能であるため、不必要の場合は枕３０を枕収容部２０から取り出して使用することができる。また、枕３０を交換することも可能である。
【００３８】
また、図４Ａ及び図４Ｂ等に基づいて前述したように、この横臥用タオルには、音声装置収容部４０が形成されている。このため、その音声装置収容部４０にスマートフォン等の音声装置Ｐが収容されることによって、図６に示すように、使用者は、浜辺等において横たわる際に、音楽や電話による会話を楽しむことが可能である。
その際、図４Ａに基づいて前述したように、音声装置収容部４０は閉じた空間状をしているとともに、図４Ｂに基づいて前述したように、通常は、音声装置収容部４０は閉状態のカバー部１５によって被覆されるため、音声装置Ｐが水に濡れる等の事態を避けることが可能である。
【００３９】
一方、その閉じた空間状の音声装置収容部４０の内部に収容された音声装置Ｐに接続されたイヤホン，イヤホンマイク等の付属装置のコードＣをコード挿通孔４６を挿通することによって、その付属装置を音声装置収容部４０の外部に位置づけることが可能である。
すなわち、そのコードＣ（音声装置Ｐの側の部分を除く）は、布片４１のコード挿通孔４６を通して音声装置収容部４０の外部に露出し、布片４１とカバー部１５（閉状態）との隙間を通って、この横臥用タオルの外部に露出する。
このため、図６に示すように、使用者は、音声装置Ｐを音声装置収容部４０に収容したままの状態で、容易に付属装置を使用することが可能である。
【００４０】
また、図４Ｂに基づいて前述したように、音声装置収容部４０を形成する布片４１の一部が透視操作部４５であるため、使用者は、カバー部１５を開状態として、音声装置Ｐが音声装置収容部４０の内部に収容された状態のまま、透視操作部４５を通して、その音声装置Ｐを外部から視認し操作することが可能である。
このため、使用者の手が水で濡れていたり、使用者の手に砂が付着したりする場合であっても、その水や砂が音声装置収容部４０の内部に侵入することが防止され、音声装置Ｐが損傷することも防止される。
【００４１】
また、図５に基づいて前述したように、この横臥用タオルには、小物収容部５０も形成されているために、その小物収容部５０に、化粧品，日焼け止め，サングラス等の小物を収容することが可能である。
【００４２】
なお、この横臥用タオルは、浜辺やビーチチェアに敷いて使用されるのに限らず、プールサイドや、山などのアウトドアや、屋内のソファ等にも使用され得る。
また、横臥する（横たわる）のみでなく、座って使用することも可能である。
また、枕３０を枕収容部２０から取り出して、枕３０の代わりに、他のタオルや、水着や衣類を収容することも可能である。
また、枕３０を枕収容部２０から取り出して何も収容しない状態では、通常のビーチタオルとしても使用可能であるとともに、フィットネスやヨガを行う際のタオルとしても使用可能である。
また、コンパクトにたたむことによって、チェアシートとしても使用可能である。
【００４３】
また、上記のものはあくまで本考案の一実施例にすぎず、当業者の知識に基づき種々の変更を加えた態様で本考案を実施できることはもちろんである。
【００４４】
例えば、音声装置収容部４０と小物収容部５０とは左右逆に設けられてもよい。
また、いずれかが設けられていない態様もあり得る。
【符号の説明】
【００４５】
１０  タオル本体
２０  枕収容部
３０  枕
４０  音声装置収容部
４５  透視操作部
４６  コード挿通孔
５０  小物収容部
【図１】
0003209458.tif 000003
【図２】
0003209458.tif 000004
【図３】
0003209458.tif 000005
【図４Ａ】
0003209458.tif 000006
【図４Ｂ】
0003209458.tif 000007
【図５】
0003209458.tif 000008
【図６】
0003209458.tif 000009